(57)【要約】【課題】光源に対する冷却性能を損なうことなく、小型化を実現する光源装置、および、それを用いた投写型映像表示装置を提供する。【解決手段】光源装置１１０は、複数の半導体レーザ１２と、半導体レーザが行および／または列をなすように配置されると共に半導体レーザを保持する光源保持体１４と、半導体レーザを電気的に接続する配線が形成されるＦＰＣ１１２と、を備え、ＦＰＣは、半導体レーザと接続する端子が設けられた接続部と、複数の接続部を架橋する架橋部と、を有しており、架橋部の少なくとも一部は、光源保持体から露出するように保持される。【選択図】  図５
2015038554.tif 000002
【特許請求の範囲】
【請求項１】
複数の光源と、
前記複数の光源が行および／または列をなすように配置されると共に前記複数の光源を保持する光源保持体と、
前記複数の光源を電気的に接続する配線が形成される基板と、
を備える光源装置において、
前記基板は、
前記光源と接続する端子が設けられた接続部と、複数の前記接続部を架橋する架橋部と、を有しており、
前記架橋部の少なくとも一部は、前記光源保持体から露出するように保持されることを特徴とする光源装置。
【請求項２】
請求項１記載の光源装置において、
前記複数の光源からの熱を放熱すると共に、前記光源保持体と共に前記基板を挟持するように配置される放熱部材をさらに備え、
前記基板は、前記架橋部の少なくとも一部が前記放熱部材から露出することを特徴とする光源装置。
【請求項３】
請求項１または２に記載の光源装置において、
導電性を有し、前記光源保持体から露出した前記架橋部を覆うカバー部をさらに備えることを特徴とする光源装置。
【請求項４】
光源部と、映像入力信号に応じて映像光を生成する映像生成部と、前記光源部からの光を前記映像生成部へ導く導光光学系と、前記映像光を投写する投写光学系と、を備える投写型映像表示装置において、
前記光源部は、
複数の光源と、
前記複数の光源が行および／または列をなすように配置されると共に前記複数の光源を保持する光源保持体と、
前記複数の光源を電気的に接続する配線が形成される基板と、を備え、
前記基板は、
前記光源と接続する端子が設けられた接続部と、複数の前記接続部を架橋する架橋部と、を有しており、
前記架橋部の少なくとも一部は、前記光源保持体から露出するように保持されることを特徴とする投写型映像表示装置。
【発明の詳細な説明】
【技術分野】
【０００１】
本開示は、複数の固体光源を用いた光源装置に関する。また、この光源装置から出射した光を用いて映像光を生成し、スクリーンに映像光を投写する投写型映像表示装置に関する。
【背景技術】
【０００２】
従来、投写型映像表示装置において、高輝度の高圧水銀ランプが光源として多く使用されてきた。高圧水銀ランプは、光源の寿命が短くメンテナンスが煩雑になる問題があり、高圧水銀ランプの代わりに発光ダイオード（ＬＥＤ）やレーザなどの固体光源を投写型映像表示装置の光源として用いることが提案されている。
【０００３】
レーザ光源は、高圧水銀ランプに比べて寿命が長く、また、指向性が高いために光利用効率も高い。さらに、その単色性により広い色再現範囲を実現できる。一方、レーザ光源単体での発光量は小さいため、複数の光源を密集させて配置し、利用する投写型映像表示装置用の光源装置が提案されている。（例えば、特許文献１)
【先行技術文献】
【特許文献】
【０００４】
【特許文献１】特開２０１１−０７６７８１号公報
【発明の概要】
【発明が解決しようとする課題】
【０００５】
レーザ光源などの固体光源は、寿命と温度とに深い相関関係があり、長寿命を確保するためには、光源の温度を低温に保つ必要がある。一方、光利用効率を向上させるためには、複数の光源を密集して配置することが望ましく、これらの観点から、冷却機構が大型化してしまうという問題があった。
【０００６】
本開示は、上述した課題を解決するためのものであり、光源に対する冷却性能を損なうことなく、小型化を実現する光源装置、および、それを用いた投写型映像表示装置を提供することを目的とする。
【課題を解決するための手段】
【０００７】
本開示に係る光源装置（例えば、光源装置１１０）は、複数の光源（例えば、半導体レーザ１２）と、前記複数の光源が行および／または列をなすように配置されると共に前記複数の光源を保持する光源保持体（例えば、光源保持体１４）と、前記複数の光源を電気的に接続する配線が形成される基板（例えば、フレキシブル基板（ＦＰＣ１１２））と、を備えるものである。この光源装置において、前記基板は、前記光源と接続する端子が設けられた接続部（例えば、接続部１１８）と、複数の前記接続部を架橋する架橋部（例えば、架橋部１２０）と、を有している。そして、前記架橋部の少なくとも一部は、前記光源保持体から露出するように保持されることを要旨とする。
【０００８】
これにより、光源に対する冷却性能を損なうことなく、光源装置の小型化を実現することができる。
【０００９】
上記の光源装置において、前記複数の光源からの熱を放熱すると共に、前記光源保持体と共に前記基板を挟持するように配置される放熱部材（例えば、ヒートシンク１６）をさらに備え、前記基板は、前記架橋部の少なくとも一部が前記放熱部材から露出するように構成するとよい。
【００１０】
加えて、上記の光源装置において、導電性を有し、前記光源保持体から露出した前記架橋部を覆うカバー部（例えば、カバー部２１８）をさらに備えるとよい。このとき、前記基板は可撓性を有すると、カバー部で内包しやすい。
【００１１】
本開示に係る投写型映像表示装置（例えば、投写型映像表示装置１００）は、光源部（例えば、光源部１０）と、映像入力信号に応じて映像光を生成する映像生成部（例えば、映像生成部５０）と、前記光源部からの光を前記映像生成部へ導く導光光学系（例えば、導光光学系７０）と、前記映像光を投写する投写光学系（例えば、投写光学系８０）と、を備えるものである。この投写型映像表示装置において、前記光源部は、複数の光源（例えば、半導体レーザ１２）と、前記複数の光源が行および／または列をなすように配置されると共に前記複数の光源を保持する光源保持体（例えば、光源保持体１４）と、前記複数の光源を電気的に接続する配線が形成される基板（例えば、ＦＰＣ１１２）と、を備える。前記基板は、前記光源と接続する端子が設けられた接続部（例えば、接続部１１８）と、複数の前記接続部を架橋する架橋部（例えば、架橋部１２０）と、を有している。そして、前記架橋部の少なくとも一部は、前記光源保持体から露出するように保持されることを要旨とする。
【００１２】
これにより、高効率でコンパクトな光源部を用いることができるので、投写型映像表示装置自体もコンパクトな構成、あるいは、装置内に有効スペースを確保した構成にすることができる。
【発明の効果】
【００１３】
本開示によれば、複数の光源を用いた小型の光源装置を提供できる。また、この光源装置を用いることにより、装置全体の小型化を図った、あるいは、装置内に有効スペースを確保した投写型映像表示装置を提供できる。
【図面の簡単な説明】
【００１４】
【図１】本開示に係る投写型映像表示装置の外観斜視図である。
【図２】本開示に係る投写型映像表示装置の構成を説明するブロック図である。
【図３】本開示に係る投写型映像表示装置の光学構成を説明する模式図である。
【図４】本開示に係る光源装置の外観斜視図である。
【図５】本開示に係る光源装置の分解斜視図である。
【図６】本開示に係るフレキシブルプリント基板の構成を説明する（ａ）正面図と（ｂ）背面図である。
【図７】本開示に係るヒートシンクの構成を説明する斜視図である。
【図８】ヒートシンクとフレキシブルプリント基板との組立状態を説明する模式図である。
【図９】本開示に係る光源装置の他の実施形態を説明する（ａ）正面図と（ｂ）斜視図である。
【発明を実施するための形態】
【００１５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、出願人は、当業者が本開示を十分に理解するために添付図面および以下の説明を提供するのであって、これらによって特許請求の範囲に記載の主題を限定することを意図するものではない。
（投写型映像表示装置の構成）
投写型映像表示装置１００の構成について図１および図２を用いて説明する。図１は、投写型映像表示装置１００の外観斜視図である。図１に示すように、投写型映像表示装置１００は、映像入力信号に応じて生成した映像光をスクリーン５００へ投写する。
【００１７】
図２は、投写型映像表示装置１００の構成を示すブロック図である。投写型映像表示装置１００は、光源部１０と、映像入力信号に応じて映像光を生成する映像生成部５０と、光源部１０からの光を映像生成部５０へ導く導光光学系７０と、生成された映像光をスクリーン５００へ投写する投写光学系８０と、光源部１０や映像生成部５０などの制御を行う制御部９０とを有する。
【００１８】
詳細は後述するが、本開示の光源部１０は、半導体レーザ１２を有しており、半導体レーザ１２からの光を励起光として、蛍光体を発光させる。導光光学系７０は、各種レンズ、ミラーあるいはロッドなどの光学部材から構成され、光源部１０から出射した光を映像生成部５０へ導く。映像生成部５０は、デジタル・マイクロミラー・デバイス（以下、ＤＭＤと省略する）や液晶パネルなどの素子を用い、映像入力信号に応じて、光を空間変調し、映像光を生成する。投写光学系８０は、レンズやミラーなどの光学部材から構成され、空間変調された光を拡大して投写する。
（投写型映像表示装置の光学構成）
図３は、３つのＤＭＤを用いた投写型映像表示装置１００の光学構成を説明する模式図である。
【００１９】
光源部１０は、複数個の青色の半導体レーザ１２と、複数個の半導体レーザ１２を搭載した一つの光源保持体１４と、光源保持体１４の裏面に配されたヒートシンク１６と、を備えた光源ユニット１８を有する。複数個の半導体レーザ１２には、それぞれの半導体レーザ１２に対応してレンズ２０が配されており、光源ユニット１８から出射した光は、レンズ２０、２２、２４、拡散板２６によって、平行光化されると共に干渉性が低減される。
【００２０】
拡散板２６を透過した後、ダイクロイックミラー２８に入射した光は、蛍光体によって緑色（Ｇ）および赤色（Ｒ）の色光を生成するのに利用する光と、青色（Ｂ）としてそのまま利用する光とに分離される。ダイクロイックミラー２８のカットオフ波長は、半導体レーザ１２から出射するＢ光の波長近傍に設定される。ダイクロイックミラー２８は、半導体レーザ１２から出射する光の偏光方向の成分比によって、所望の比率で反射する光と透過する光とに分離する。
【００２１】
ダイクロイックミラー２８を反射した光（主に、Ｂ光のＳ偏光成分）は、コンデンサレンズ３０を介して、蛍光体ホイール３２に照射される。蛍光体ホイール３２は、表面に蛍光体層３４が形成されたアルミニウム基板３６とモータ３８から構成される。Ｂ光を励起光として蛍光体層３４にて黄色（Ｙｅ）に変換された光は、アルミニウム基板３６によって、ダイクロイックミラー２８側へ反射される。コンデンサレンズ３０は、蛍光体ホイール３２に入射するＢ光を集光すると共に蛍光体ホイール３２から出射するＹｅ光を平行光化する機能を有する。Ｙｅ光は、ダイクロイックミラー２８を透過する。
【００２２】
ダイクロイックミラー２８を透過した光（主に、Ｂ光のＰ偏光成分）は、１／４波長板４０およびコンデンサレンズ４２を介して、拡散反射板４４に照射される。１／４波長板４０は、Ｐ偏光のＢ光を円偏光に変換する機能を有する。拡散反射板４４に入射した光は、さらに干渉性を低減され、ダイクロイックミラー２８側へ反射される。コンデンサレンズ４２は、拡散反射板４４に入射するＢ光を集光すると共に拡散反射板４４から出射するＹｅ光を平行光化する機能を有する。１／４波長板４０は、ダイクロイックミラー２８側へ反射された円偏光の光をＳ偏光に変換する機能を有する。Ｓ偏光に変換されたＢ光は、ダイクロイックミラー２８を反射する。ダイクロイックミラー２８に再度入射したＹｅ光とＢ光は合成され、光源部１０からは白色光が出射する。
【００２３】
光源部１０から出射した白色光は、集光レンズ７２に入射し、ロッド７４へ集光する。ロッド７４に入射した光は、ロッド内部で複数回反射することによって、光強度分布が均一化されて出射する。ロッド７４から出射した光は、リレーレンズ７６によって集光され、ミラー７８で反射した後、フィールドレンズ５２を透過し、全反射プリズム５４に入射する。
【００２４】
全反射プリズム５４は２つのプリズムから構成され、互いのプリズムの近接面には薄い空気層を形成している。空気層は臨界角以上の角度で入射する光を全反射する。フィールドレンズ５２を介して、全反射プリズム５４に入射した光は、全反射面Ｓで反射されて、カラープリズム５６に入射する。
【００２５】
カラープリズム５６は３つのプリズムからなり、それぞれのプリズムの近接面には、青反射のダイクロイックミラー面ＤＭBと赤反射のダイクロイックミラー面ＤＭRが形成されている。カラープリズム５６に入射した光は、青反射のダイクロイックミラー面ＤＭBと赤反射のダイクロイックミラー面ＤＭRとによって、Ｂ光、Ｒ光およびＧ光に分離される。ダイクロイックミラー面ＤＭRのカットオフ波長は、光源部１０で生成されたＹｅ光の波長帯域の中で、Ｒ光とＧ光とが所望の光量比となるように設定される。Ｂ光、Ｒ光およびＧ光はそれぞれＤＭＤ５８、６０、６２に入射する。ＤＭＤ５８、６０、６２は、映像入力信号に応じて、マイクロミラー（不図示）を偏向させ、投写光学系８０に入射する光（映像光）と、投写光学系８０の有効領域外へ進む光（不要光）とに変調し、映像光を生成する。
【００２６】
生成された映像光は、再度、カラープリズム５６を透過する。カラープリズム５６を透過する過程で、分離されたＢ光、Ｒ光およびＧ光は合成され、全反射プリズム５４に入射する。全反射プリズム５４に入射した光は、全反射面Ｓに臨界角以下で入射するため、透過して、投写光学系８０に入射する。このようにして、映像光が、スクリーン５００上に投写される。
【００２７】
光源部１０は、複数の固体光源（半導体レーザ１２）で構成され、高効率で良好なホワイトバランスの白色光を出射するため、長寿命で、高輝度な投写型映像表示装置１００を実現できる。また、映像生成部５０にはＤＭＤ５８、６０、６２を用いているため、液晶パネルに比べて、耐光性、耐熱性が高い投写型映像表示装置１００が構成できる。さらに、３つＤＭＤを用いているため、色再現が良好で、明るく高精細な投写映像を得ることができる。
（光源装置の構成）
〔第１実施形態〕
光源ユニット１８を含む光源装置１１０の構成について図４〜図８を用いて説明する。図４は、光源ユニット１８を含む光源装置１１０の外観斜視図であり、図５は、光源装置１１０の分解斜視図である。ここで、半導体レーザ１２の光出射側を表、その対面を裏とする。
【００２８】
図５に示すように、光源装置１１０は、複数個の半導体レーザ１２と、複数個の半導体レーザ１２を搭載した一つの光源保持体１４と、光源保持体１４の裏面側に配されたヒートシンク１６と、を有する。加えて、光源保持体１４とヒートシンク１６との間には、複数個の半導体レーザ１２を直列に接続するフレキシブルプリント基板（以下、ＦＰＣと略記）１１２と、半導体レーザ１２のリード線１１４と光源保持体１４とを確実に絶縁するためのインシュレータ１１６と、が間挿されている。本開示では、半導体レーザ１２は、２４個の半導体レーザ１２を６×４に配置しており、光源保持体１４に保持されている。
【００２９】
半導体レーザ１２は２本のリード線１１４を有している。組立てる際は、光源保持体１４に設けられた半導体レーザ１２と同数の貫通穴に、リード線１１４を表側（図面左側）から挿入させる。インシュレータ１１６は、光源保持体１４およびリード線１１４に、はめ込むように裏側（図面右側）から取り付ける。インシュレータ１１６から突出したリード線１１４はＦＰＣ１１２に接続され、半導体レーザ１２には、ＦＰＣ１１２を介して電力が供給される。
【００３０】
図６は、ＦＰＣ１１２の（ａ）正面図と（ｂ）背面図である。ここでは、（ａ）を表面、（ｂ）を裏面として説明する。ＦＰＣ１１２は、１行あたり４個の半導体レーザ１２を１セットとして、４個の半導体レーザ１２を隣接させて接続する接続部１１８と、行と行とを橋渡しするように、各セットを直列に接続する架橋部１２０と、光源装置１１０の外部に接続するための外部接続部１２２と、を有する。ＦＰＣ１１２は、絶縁性のフィルム基材上に導線１２４が配され、半導体レーザ１２のリード線１１４と接続する接続部１１８のレーザ端子部１２６や、外部の電力供給源に接続する外部接続部１２２の終端などを除く他方の面も、同種のフィルム基材で覆われている。すなわち、導線１２４は、絶縁性のフィルム基材に挟持されており、ＦＰＣ１１２は可撓性を有している。
【００３１】
導線１２４は、接続部１１８と架橋部１２０との間で、実質的に直角に折れ曲がるように配されており、それぞれの接続部１１８の間は、不要なフィルム基材が取り除かれ、開口部１２８となっている。詳細は後述するが、組立てた際、開口部１２８は、光源保持体１４とヒートシンク１６とが接触する領域となる。
【００３２】
図７は、ヒートシンク１６の斜視図である。ヒートシンク１６の材料には、アルミニウムや銅といった熱伝導性の良い金属が適している。ヒートシンク１６の一方の面には、半導体レーザ１２のリード線１１４が突出する部分に設けられた凹部１３０と、光源保持体１４と接触する凸部１３２と、を有する。ヒートシンク１６の他方の面（裏面）には、複数のフィン１３４が設けられており、図示しないファンによって空気が送られることにより、効率よく放熱することができる。
【００３３】
図８に示すように、ヒートシンク１６の凹部１３０には、ＦＰＣ１１２の接続部１１８がはめ込まれる。凹部１３０に接続部１１８がはめ込まれるように、凹部１３０の図中ｙ方向の寸法は、接続部１１８の図中ｙ方向の寸法よりも大きく設計することが、組立て上、望ましい。
【００３４】
一方、ヒートシンク１６の図中ｘ方向の寸法は、ＦＰＣ１１２の図中ｘ方向の寸法よりも小さく設計する。具体的には、ＦＰＣ１１２の開口部１２８に、ヒートシンク１６の凸部１３２がはめ込まれる寸法が望ましい。これにより、ＦＰＣ１１２の架橋部１２０、外部接続部１２２は、組立てた際、光源保持体１４およびヒートシンク１６に挟持されず、露出した状態となる。
【００３５】
以上の構成により、半導体レーザ１２の近傍で光源保持体１４とヒートシンク１６との接触面積を確保でき、半導体レーザ１２で発生した熱を効率よく放熱することができる。よって、ヒートシンク１６による冷却性能は維持しつつ、光源装置１１０の寸法を小さくすることができる。
〔第２実施形態〕
第２実施形態に係る光源装置２１０の構成について図９を用いて説明する。本実施形態では、主に第１実施形態との相違点を中心に説明する。図９は、光源ユニット１８を含む光源装置２１０の（ａ）正面図と（ｂ）外観斜視図である。
【００３６】
光源装置２１０は、半導体レーザ１２、光源保持体１４、ＦＰＣ１１２およびインシュレータ１１６は、第１実施形態の光源装置１１０と同様の構成である。本実施形態において、ヒートシンク２１６は、図中ｘ方向の両側に、露出するＦＰＣ１１２の架橋部１２０を覆う１対のカバー部２１８を有する。架橋部１２０は、光源保持体１４とカバー部２１８との隙間２２０に内包される。具体的には、１対のカバー部２１８の図中ｘ方向の距離（内寸法）は、光源保持体１４の図中ｘ方向の寸法より、隙間２２０が各々形成されるように大きく設計する。
【００３７】
以上の構成により、ヒートシンク２１６による冷却性能は維持しつつ、光源装置２１０の寸法を小さくすることができる。加えて、架橋部１２０が露出しないので、ノイズの発生あるいは混入を抑制することができる。
（作用・効果）
以上のように、本開示の光源装置は、半導体レーザをアレイ状に配置して保持する光源保持体と、半導体レーザからの熱を放熱するヒートシンクと、光源保持体とヒートシンクに挟持されるＦＰＣとを備えている。そして、ＦＰＣは、少なくとも光源保持体とヒートシンクの一方、具体的には、光源保持体から架橋部や外部接続部が露出するように、挟持される。
【００３８】
これにより、半導体レーザに対する冷却性能は十分に確保することができ、かつ、光源装置の小型化を実現することができる。
（その他の適用）
以上のように、本開示における実装の例示として、一実施形態を説明した。しかしながら、本開示は、これに限定されず、適宜、変更、置き換え、付加、省略などを行った実施の形態にも適用可能である。
【００３９】
上述の実施形態では、３ｃｈｉｐのＤＭＤの投写型映像表示装置を用いて説明したが、１ｃｈｉｐでもよく、液晶パネルを用いた投写型映像表示装置でもよい。
【００４０】
上述の実施形態では、投写光学系８０は、複数のレンズから構成されるものを想定し、レンズとミラーからなる投写光学系でもよく、複数のミラーから構成される投写光学系でもよい。
【００４１】
上述の実施形態では、ＦＰＣにより電力の供給を受ける部材として半導体レーザを用いて説明したが、本開示はこれに限らず、ＦＰＣにより電力の供給を受け、発熱する部材であれば、適用可能である。
【００４２】
上述の実施形態では、ヒートシンク側にＦＰＣを這わす凹部と凸部を設けたが、光源保持体側に設けてもよい。ＦＰＣの両側の架橋部を露出させる構成としたが、一方の架橋部のみを露出させる構成としてもよい。また、第１実施形態では、光源保持体とヒートシンクの両方のｘ方向の寸法を、ＦＰＣの開口部のｘ方向の寸法に揃えてあるが、いずれか一方の寸法を開口部の寸法に揃えるだけでもよい。
【００４３】
上述の実施形態では、ヒートシンクを用いて説明したが、冷却手段はこれに限定されるものではない。ヒートパイプを用いてもよく、ペルチェ素子などでも適用可能である。
【００４４】
上述の実施形態では、６行（偶数行）に配列されたＦＰＣを用いて説明したが、奇数行となる場合は、レーザ端子部が設けられない、導線のみの行が端部に設けられる。この場合、レーザ端子部が設けられない行は、架橋部とみなし、露出するように構成してもよい。
【００４５】
上記の実施形態では、カバー部をヒートシンクと一体的に設けているが、アルミテープなどの導電性（熱導電性）を有するもので露出した架橋部を止めてもよく、板金などの別部材でカバー部を構成してもよい。また、カバー部は、架橋部を光源保持体側に折り曲げるように構成しているが、光源保持体にカバー部を設け、ヒートシンク側に折り曲げてもよい。
【００４６】
上記の実施形態では、可撓性のＦＰＣを用いて説明したが、硬質の基板を用いてもよい。
【００４７】
以上のように、添付図面および詳細な説明によって、ベストモードと考える実施の形態を提供した。これは、特定の実施の形態を参照することにより、当業者に対して、特許請求の範囲に記載の主題を例証するために提供されるものである。したがって、特許請求の範囲またはその均等の範囲において、上述の実施の形態に対して、種々の変更、置き換え、付加、省略などを行うことができる。
【産業上の利用可能性】
【００４８】
本開示は、ＦＰＣにより電力の供給を受けて発熱する部材に適用可能である。具体的には、半導体レーザを用いる光源装置、および、この光源装置用いた投写型映像表示装置に適用できる。
【符号の説明】
【００４９】
１０  光源部
１２  半導体レーザ
１４  光源保持体
１６  ヒートシンク
１８  光源ユニット
２０、２２、２４  レンズ
２６  拡散板
２８  ダイクロイックミラー
３０  コンデンサレンズ
３２  蛍光体ホイール
３４  蛍光体層
３６  アルミニウム基板
３８  モータ
４０  １／４波長板
４２  コンデンサレンズ
４４  拡散反射板
５０  映像生成部
５２  フィールドレンズ
５４  全反射プリズム
５６  カラープリズム
５８、６０、６２  ＤＭＤ
７０  導光光学系
７２  集光レンズ
７４  ロッド
７６  リレーレンズ
７８  ミラー
８０  投写光学系
９０  制御部
１００  投写型映像表示装置
１１０、２１０  光源装置
１１２  ＦＰＣ
１１４  リード線
１１６  インシュレータ
１１８  接続部
１２０  架橋部
１２２  外部接続部
１２４  導線
１２６  レーザ端子部
１２８  開口部
１３０  凹部
１３２  凸部
１３４  フィン
２１６  ヒートシンク
２１８  カバー部
２２０  隙間
５００  スクリーン
Ｓ  全反射面
ＤＭB、ＤＭR  ダイクロイックミラー面
【図１】
2015038554.tif 000003
【図２】
2015038554.tif 000004
【図３】
2015038554.tif 000005
【図４】
2015038554.tif 000006
【図５】
2015038554.tif 000007
【図６】
2015038554.tif 000008
【図７】
2015038554.tif 000009
【図８】
2015038554.tif 000010
【図９】
2015038554.tif 000011